(57)【特許請求の範囲】
【請求項１】
本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記前面パネルの天面と両側面に吸込口を設け、この吸込口をフィルターの外周に面して配置してなる加湿装置。
【請求項２】
吸込口から加湿フィルターに至る空気流路を、複数の流路に分割する吸込風向板を設けてなる請求項１に記載の加湿装置。
【請求項３】
吸込風向板は、加湿フィルターの回転方向に対向して傾斜して設けるとともに、断面を円弧形状とした請求項２記載の加湿装置。
【請求項４】
回転する加湿フィルターの相対的に保水量大なるフィルター領域に対応して、前面パネルに設けた吸込口の開口面積を大きくした請求項１または２に記載の加湿装置。
【請求項５】
回転する加湿フィルターの相対的に含水量大なるフィルター領域に対応して、開口面積が大となる格子部を送風機の吸気口に形成した請求項１または２に記載の加湿装置。
【請求項６】
フィルターは、平面状の表面層と裏面層との間に、複数の縦糸を略等間隔に配列した三次元構造の中間層と一体化したフィルター素材からなり、水平軸を備えたフィルター枠の支持枠部に着脱可能に付設してなる請求項１に記載の加湿装置。
【請求項７】
本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記フィルター枠に設けた遮蔽部は、その断面形状が水平軸を中心とする略円錐形状を備えてなる加湿装置。
【請求項８】
本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記水槽に給水する前記給水タンクを、前記加湿フィルターの側方で、かつ前記本体と前記前面パネル間に収納可能に配置し、前記給水タンクは略直方体形状をなし、前記前面パネルの前面に補助吸込口を形成し、この補助吸込口は前記加湿フィルターと前記給水タンクの間に面して位置してなる請求項１または２記載の加湿装置。
【請求項９】
本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記水槽に給水する前記給水タンクを前面パネルと前記加湿フィルターの間に配置し、前記給水タンクの上面および両側面に面して、前記前面パネルに吸込口を形成した加湿装置。
【発明の詳細な説明】
【技術分野】
【０００１】
本発明は下端部を水中に浸した加湿フィルターに通風することにより、水分が気化されて室内を加湿する加湿装置に関する。
【背景技術】
【０００２】
従来、この種の加湿装置は、水槽に下部が浸される加湿フィルターに通風して加湿するものが知られている（例えば、特許文献１参照）。
【０００３】
以下、その加湿装置について、図１３を参照しながら説明する。
【０００４】
図に示すように、本体１０１内に設けられる給水タンク１０２より給水される水槽１０３の底面にヒータ１０４を設け、ヒータ１０４により加熱された水槽１０３に下部が浸される加湿フィルター１０５を設け、加湿フィルター１０５に通風して給気するとともに、ヒータ１０４により気化された蒸気を吹き出す送風機１０６を設け、加湿フィルター１０５に吸い上げられた水分と、ヒータ１０４により気化された水分とにより加湿することにより加湿効率を向上することができるものである。
【特許文献１】特開２０００−３５６３７３号公報
【発明の開示】
【発明が解決しようとする課題】
【０００５】
このような従来の加湿装置では、本体の設置面積が大きく、室内で使用するときに広い設置場所が必要であるという課題があり、本体形状を薄型化することが要求されている。
【０００６】
また、給水した水道水中の不純物が加湿フィルターに次第に付着すると、加湿フィルターの吸水機能が劣化して加湿能力が落ちるという課題があり、長期間の使用でも加湿能力の低下しないことが要求されている。
【０００７】
本発明は、このような従来の課題を解決するものであり、本体が薄型形状で室内に省スペースで設置できるとともに、加湿能力を長期間安定して発揮できる加湿装置を提供することを目的とする。
【課題を解決するための手段】
【０００９】
本発明の加湿装置は、上記目的を達成するために、本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記前面パネルの天面と両側面に吸込口を設け、この吸込口をフィルターの外周に面して配置してなるものである。
【００１０】
また、他の手段は、吸込口から加湿フィルターに至る空気流路を、複数の流路に分割する吸込風向板を設けてなるものである。
【００１１】
また、他の手段は、吸込風向板は、加湿フィルターの回転方向に対向して傾斜して設けるとともに、断面を円弧形状としたものである。
【００１２】
また、他の手段は、相対的に保水量大なるフィルター領域に対応して、前面パネルに設けた吸込口の開口面積を大きくしたものである。
【００１３】
また、他の手段は、相対的に含水量大なるフィルター領域に対応して、開口面積が大となる格子部を送風機の吸気口に形成したものである。
【００１４】
また、他の手段は、フィルターは、平面状の表面層と裏面層との間に、複数の縦糸を略等間隔に配列した三次元構造の中間層と一体化したフィルター素材からなり、水平軸を備えたフィルター枠の支持枠部に着脱可能に付設してなるものである。
【００１８】
また、他の手段は、フィルター枠に設けた遮蔽部は、その断面形状が中心軸を中心とする略円錐形状を備えてなるものである。
【００１９】
また、他の手段は、水槽に給水する給水タンクを、加湿フィルターの側方で、かつ本体と前面パネル間に収納可能に配置し、前記給水タンクは略直方体形状をなし、前記前面パネルの前面に補助吸込口を形成し、この補助吸込口は前記加湿フィルターと前記給水タンクの間に面して位置してなるものである。
【００２０】
また、他の手段は、水槽に給水する給水タンクを前面パネルと加湿フィルターの間に配置し、前記給水タンクの上面および両側面に面して、前記前面パネルに吸込口を形成したものである。
【発明の効果】
【００２２】
本発明によれば、フィルター枠を縦長にして本体を薄型スリム形状にでき、加湿フィルターおよび空気流路の通気抵抗を小さくして、大風量の加湿風を低騒音で室内に供給することができ、前面パネルの天面と両側面に設けた開口面積の大きな吸込口から、大風量の室内空気を吸込み、円筒形状のフィルターの外周面へ通風することにより、加湿量を増加することができる。
【００２３】
また、円周方向に通気抵抗の圧力勾配が生じているフィルターへの空気流路を、複数の流路に分割にて強制的に通風することにより、通気抵抗のアンバランスを解消した通風が可能となり、通風量のバラツキを少なくして加湿量を増大することができる。
【００２４】
また、フィルターの略全体に通風することができ、風の方向を滑らかに変えてフィルターに案内でき、通風抵抗を低減して加湿量を増大できる。
【００２５】
また、前面パネルの吸込口をフィルターの保水量の大きい領域に対応して順次拡大させることにより、フィルターへの通風量を均一化することができ、加湿量を増大することができる。
【００２６】
また、送風機の吸気口に設けた格子部の開口面積を、フィルターの円周方向の通気抵抗に対応して変更することにより、通風量を均一化することができ、加湿量を増大することができる。
【００２７】
また、フィルターの水膜形成による通気抵抗の増加を大幅に抑制し、また中間層に十分な保水能力を維持することができるので、大風量を通過させて加湿量を増大することができる。
【００３１】
また、フィルター枠の中心方向に集まる加湿空気は、略円錐形状の遮蔽部に沿って送風機の吸気口方向に風向変更され、空気流路の通風抵抗を低減することができ、送風量および加湿量を増大することができる。
【００３２】
また、前面パネルの前面に設けた補助吸込口からフィルターへと通風できるので、加湿量を維持できるとともに、加湿装置の外観寸法を増やすことなく、大容量の給水タンクを収納することができる。
【００３３】
また、大容量の給水タンクは空気流路を塞ぐことなく、逆に吸込口の開口面積を増やすことができ、また長時間の加湿運転が可能となり、さらに給水タンクの着脱や運搬などの取り扱いが容易になる。
【発明を実施するための最良の形態】
【００３５】
本発明の請求項１記載の加湿装置は、本体の前面に設けた前面パネルと、この前面パネルに形成した吸込口と、前記本体に設けた吹出口と、前記吸込口と吹出口を連通し形成される空気流路と、この空気流路に設けた送風機と、前記空気流路内の前記送風機の上流側に設けた横向き円筒形状の加湿フィルターと、この加湿フィルターに設けた水平軸を中心に回転させる回転手段と、前記加湿フィルターの下端部を水没させる水槽と、この水槽に給水する給水タンクを有し、前記加湿フィルターは支持枠部の両側に遮蔽部と開口枠部を備えた円筒形状のフィルター枠と、前記支持枠部に巻きつけたフィルターからなり、前記加湿フィルターの開口枠部を前記送風機の吸気口に面して設け、前記前面パネルの天面と両側面に吸込口を設け、この吸込口をフィルターの外周に面して配置して設けてなるものであり、円筒形状のフィルター枠の支持枠部にフィルターを巻きつけ、このフィルターの下端部を水槽の貯水に浸しつつ回転することにより、定常的に給水しながら、フィルターの外周側から送風機の吸気口に大風量で通風するものであり、送風機の風量特性に合わせてフィルター枠の外形寸法を設定することが可能となり、フィルター枠を縦長に設定すれば本体を薄型スリム形状にできるとともに、送風機の吸気側にあるフィルターの圧力損失を低減しつつ表面積を大きくとることができるので、加湿フィルターの通気抵抗をできるだけ少なくして大風量を送風することができ、またフィルターの下端部を水槽の貯水に浸しつつ回転しているので、従来のような不純物がフィルターに堆積して毛細管現象による吸水性能を阻害するという現象を起こすことがなく、長期間の使用においても、安定して加湿機能を発揮することができ、円筒形状のフィルターの外周面を覆うように、前面パネルの天面と両側面の広範囲に吸込口を設けることにより、フィルターの外周側の吸気面に近接して大きな開口面積で吸引できるため、通気抵抗を低減して大風量の室内空気を吸込むことができ、加湿フィルターに供給する風量を増やして加湿量を増加することができるという作用を有する。
【００３６】
また、吸込口から加湿フィルターに至る空気流路を、複数の流路に分割する吸込風向板を設けてなるものであり、前面パネルの吸込口より流入した室内空気は、加湿フィルターの通気抵抗の小さい部分に流れ込む傾向にある。すなわち水槽に下端部を浸して回転する加湿フィルターでは、フィルターの回転位置とそれまでの通風時間により、フィルターの保水量が順次減少して、円周方向に通気抵抗の圧力勾配が生じるため、回転するフィルターが水槽へ入る直前において通気抵抗が最小となるので、その付近に吸気した室内空気が集中する傾向にある。しかし、前面パネルの吸込口の背面に風向板を設けて、空気流路を複数の流路に分割にて強制的にフィルターの最も近接した範囲に通風することができるので、吸込口から吸い込まれた空気が通風抵抗小なるフィルター領域に回り込まないように防止して、通気抵抗が均等でないフィルターのアンバランスを解消した通風が可能となり、通風量のバラツキを少なくして加湿量を増大することができるという作用を有する。
【００３７】
また、吸込風向板は、加湿フィルターの回転方向に対向して傾斜して設けるとともに、断面を円弧形状としたものであり、吸込風向板を加湿フィルターの回転方向と対向する方向に傾斜して設け、かつ吸込風向板の断面形状をフィルターの直交方向に案内する円弧形状、さらに流線型の翼形状とすることにより、通風されるフィルターの回転に応じて、円周方向の水分付着量の減少により通風抵抗が次第に少なくなっても、フィルターの一部に集中することなく全体に通風することができ、また、フィルターの直交方向に、吸込風向板の円弧形状に沿うように滑らかに風の方向を変えることができるので、通風抵抗を低減して加湿量を増大できるという作用を有する。
【００３８】
また、相対的に保水量大なるフィルター領域に対応して、前面パネルに設けた吸込口の開口面積を大きくしたものであり、回転する加湿フィルターの保水量は、水槽から上昇した直後が最も大きく、回転とともに通風により減少しているので、フィルターには円周方向に通気抵抗の勾配が生じることになるが、前面パネルの吸込口をフィルターの保水量の大きい領域に対応して順次拡大させることにより、フィルターへの通風量を均一化することができ、加湿量を増大することができるという作用を有する。
【００３９】
また、相対的に含水量大なるフィルター領域に対応して、開口面積が大となる格子部を送風機の吸気口に形成したものであり、目の粗さが異なる格子部を送風機の吸気口に配置することにより、送風機に流入する風量の分布を変化させることができるので、相対的に含水量大なるフィルター領域に最も近い格子部を、開口面積が大となる目の粗さに形成することにより、フィルターの円周方向の通気抵抗が順次変化するのに対応して、通気抵抗および通風量のアンバランスを解消して均一化することができ、加湿量を増大することができるという作用を有する。
【００４０】
また、フィルターは、平面状の表面層と裏面層との間に、複数の縦糸を略等間隔に配列した三次元構造の中間層と一体化したフィルター素材からなり、水平軸を備えたフィルター枠の支持枠部に着脱可能に付設してなるものであり、フィルターの中間層を縦糸による三次元構造としているので、水槽から上昇した直後に、フィルターの中間層だけでなく表面層においても水膜の形成が困難となり、フィルターの水膜形成による通気抵抗の増加を大幅に抑制できるとともに、三次元構造とした中間層において十分な保水能力を維持することができるので、フィルターの圧力損失を増加させずに、またフィルター全体の通気抵抗のアンバランスを少なくして、大風量を通過させて加湿することができ、騒音を抑えつつ加湿量を増大することができるという作用を有する。
【００４４】
また、フィルター枠に設けた遮蔽部は、その断面形状が中心軸を中心とする略円錐形状を備えてなるものであり、フィルター枠の遮蔽部の断面形状を略円錐形状にすることにより、円筒形状のフィルター面を通過して中心方向に集まる加湿空気は、さらに略円錐形状の遮蔽部に沿って送風機の吸気口方向に約９０度だけ風向変更させるように案内することができ、送風機の吸気口への風向変更を滑らかにして空気流路の通風抵抗を低減することができ、送風量を増やして加湿量を増大することができるという作用を有する。
【００４５】
また、水槽に給水する給水タンクを、加湿フィルターの側方で、かつ本体と前面パネル間に収納可能に配置し、前記給水タンクは略直方体形状をなし、前記前面パネルの前面に補助吸込口を形成し、この補助吸込口は前記加湿フィルターと前記給水タンクの間に面して位置してなるものであり、加湿フィルターの側方において、給水タンクを前面パネルの一側面に設けた吸込口からフィルターに至る空気流路を遮断する位置に配置していても、前面パネルの前面に設けた補助吸込口から、加湿フィルターと給水タンクの間を通してフィルターへと通風する新たな空気流路とすることができるので、フィルターの通風量を確保することができ、風量および加湿量を減らすことなく正常に使用することができる。さらに、給水タンクの形状を略直方体形状とすることにより、給水タンクの貯水容量を増加できるとともに、給水タンクの取り扱いが容易となり、加湿装置の外観寸法を増やすことなく、大容量の給水タンクを収納することができるという作用を有する。
【００４６】
また、水槽に給水する給水タンクを前面パネルと加湿フィルターの間に配置し、前記給水タンクの上面および両側面に面して、前記前面パネルに吸込口を形成したものであり、前面パネルと加湿フィルターの間に給水タンクを配置することにより、本体側方に給水タンクを配置するのに比べて、前面パネルの背面に薄型形状で大容量の給水タンクを装着できるので、長時間の加湿運転が可能となり、また大容量の給水タンクの着脱や運搬などの取り扱いが容易になる。さらに、前記給水タンクの上面および両側面に面して、前記前面パネルに吸込口を形成することにより、吸込口の開口面積を増やせるとともに、給水タンクの周辺空間を空気流路として使用することができ、通気抵抗を減らして風量および加湿量を増やすことができるという作用を有する。
【００４７】
以下、本発明の実施の形態について、図面を参照しながら説明する。
【００４８】
（実施の形態１）
図１〜図７に示すように、本体１の前面に着脱可能に設けた前面パネル２の天面２ａと両方の側面２ｂには吸込口３を形成し、本体１の天面に吹出口４を設けている。前面パネル２の吸込口３と本体１の吹出口４を連通して空気流路５を形成し、この空気流路５に上流から加湿フィルター７と送風機６の順で配置し、加湿フィルター７は水平軸８ａを備えた横向き円筒形状をなし、水槽１１に設けた支持板１４にて回転可能に軸支され、加湿フィルター７の水平軸８ａを中心に回転させる回転手段１０を本体１に付設している。水槽１１は加湿フィルター７の下端部を浸漬するとともに、水槽１１に給水する給水タンク１２を着脱可能に装着している。加湿フィルター７は支持枠部８ｂの両側に遮蔽部８ｃと開口枠部８ｄを備えた円筒形状のフィルター枠８と、支持枠部８ｂに巻きつけたフィルター９とで構成され、開口枠部８ｄを送風機６の吸気口６ａに面するように配置されている。
【００４９】
また、前面パネル２の天面２ａと両側面２ｂに設けた吸込口３は、フィルター９の外周を覆うように対面して配置されている。
【００５０】
さらに、吸込口３付近の前面パネル２の裏面に、複数の吸込風向板２ｃをフィルター９に向けて突設しており、吸込風向板２ｃは吸込口３からフィルター９に至る空気流路５を複数の流路に分割するものである。なお、吸込風向板２ｄを加湿フィルター７の回転方向に対向して傾斜して設けるとともに、断面形状をフィルター９表面に直交する方向に加工した円弧形状とするのが好ましい。
【００５１】
また、フィルター９が回転するときに、水中から大気中へと上昇した時点で、保水量が相対的に最も多くなるため、保水量が大なるフィルター９の領域に対応して、図６に示すように、前面パネル２の一側面２ｂに設けた吸込口３ａの開口面積を最も大きくしている。さらに、前面パネル２の天面２ａに設けた吸込口３ｂの開口面積を吸込口３ａより小として、保水量が相対的に少なくなるフィルター９の領域に対応する前面パネル２の他の側面２ｂに設けた吸込口３ｃの開口面積を最も小さくしている。
【００５２】
また、送風機６の吸気口６ａに設けた格子部６ｂにおいても、相対的に含水量大なるフィルター９の領域に対応して、開口面積が大きくなるように格子部６ｂの格子間隔を広げ、逆に相対的に含水量小なるフィルター９の領域に対応して、開口面積が小さくなるように格子部６ｂの格子間隔を縮小する形状としている。
【００５３】
上記構成により、円筒形状のフィルター枠８の支持枠部８ｂに巻きつけたフィルター９は、このフィルター９の下端部を水槽１１の貯水に浸しつつ水平軸８ａを中心に回転することにより、定常的に給水されるものであり、送風機６によりフィルター９の外周側からフィルター９を通過して通風されることにより加湿され、加湿された空気は本体１の吹出口４から室内に供給される。送風機６の風量特性に合わせてフィルター枠８の外形寸法を設定することが可能となり、フィルター枠８を縦長に設定すれば、本体１を薄型スリム形状にすることができる。さらに、送風機６の吸気側にあるフィルター９の表面積を大きくとることができるので、加湿フィルター７の通気抵抗をできるだけ少なくして風量を増やすことができる。またフィルター９の下端部を水槽１１の貯水に浸しつつ回転しているので、従来のような不純物がフィルターに堆積して毛細管現象による吸水性能を阻害するという現象を起こすことがなく、長期間の使用においても、安定して加湿機能を発揮することができる。また吸込口３から吹出口４に至る空気流路５の構造がシンプルで余分な抵抗物がないため、空気流路５の通気抵抗を小さくすることができ、大風量の加湿風を本体１の吹出口４から低騒音で室内に供給することができる。
【００５４】
このように本発明の実施の形態１の加湿装置によれば、フィルター枠８を縦長にして本体１を薄型スリム形状にでき、加湿フィルター７および空気流路５の通気抵抗を小さくして、大風量の加湿風を低騒音で室内に供給することができることとなる。
【００５５】
また、円筒形状のフィルター９の外周面を覆うように、前面パネル２の天面２ａと両側面２ｂの広範囲に吸込口３を設けることにより、フィルター９の外周側の吸気面に近接して大きな開口面積で吸引できるため、通気抵抗を低減して大風量の室内空気を吸込むことができ、加湿フィルター７に供給する風量を増やして加湿量を増加することができる。
【００５６】
また、前面パネル２の吸込口３より流入した室内空気は、加湿フィルター７の通気抵抗の小さい部分に流れ込む傾向にある。すなわち水槽１１に下端部を浸して回転する加湿フィルター７では、フィルター９の回転位置とそれまでの通風時間により、フィルター９の保水量が順次減少して、円周方向に通気抵抗の圧力勾配が生じるため、回転するフィルター９が水槽１１へ入る直前において通気抵抗が最小となるので、その付近に吸気した室内空気が集中する傾向にある。
【００５７】
しかし、図４に示すように、前面パネル２の吸込口３の背面に吸込風向板２ｃを設けて、空気流路５を複数の流路に分割して強制的にフィルター９の最も近接した範囲に通風することができるので、吸込口３から吸い込まれた空気が、通風抵抗小なるフィルター９領域に回り込まないように防止して、通気抵抗が均等でないフィルター９のアンバランスを解消した通風が可能となり、通風量のバラツキを少なくして加湿量を増大することができる。
【００５８】
また、図５に示すように、吸込風向板２ｄを加湿フィルター７の回転方向と対向する方向に傾斜して設け、かつ吸込風向板２ｄの断面形状をフィルター９の直交方向に案内する円弧形状とすることにより、通風されるフィルター９の回転に応じて、円周方向の水分付着量の減少により通風抵抗が次第に少なくなっても、フィルター９の通風抵抗小なる領域に集中することなく全体に通風することができる。また、吸込風向板２ｄの円弧形状に沿うように滑らかに風の方向を変えることができるので、通風抵抗を低減して騒音の抑制および送風量を増大することができる。
【００５９】
また、回転する加湿フィルター７の保水量は、水槽１１から上昇した直後が最も大きく、回転とともに通風により減少しているので、フィルター９には円周方向に通気抵抗の勾配が生じることになるが、図６に示すように、前面パネル２の吸込口３をフィルター９の保水量の大きい領域に対応して順次拡大させることにより、フィルター９への通風量を均一化することができ、騒音の抑制および加湿量を増大することができる。
【００６０】
また、図７に示すように、目の粗さが異なる格子部６ｂを送風機６の吸気口６ａに配置することにより、送風機６に流入する風量の分布を変化させることができるので、相対的に含水量大なるフィルター９領域に最も近い格子部６ｂを、開口面積が大となる目の粗さに形成することにより、フィルター９の円周方向の通気抵抗が順次変化するのに対応して、通気抵抗および通風量のアンバランスを解消して均一化することができ、加湿量を増大することができる。
【００６１】
（実施の形態２）
図３に示すように、フィルター９は、通気性のある平面状の表面層９ａと裏面層９ｂとの間に、複数の縦糸を略等間隔に配列した三次元構造の中間層９ｃを一体構造としたフィルター素材からなり、水平軸８ａを備えたフィルター枠８の支持枠部８ｂの外周側に着脱可能に巻き付けている。
【００６２】
また、図８に示すように通気性のある平面状の表面層９ａ、裏面層９ｂおよび密度の低い中間層９ｃからなる補助フィルター９Ａを設け、この補助フィルター９Ａをフィルター９の外周面に重ねて装着している。
【００６３】
また、図９に示すように、フィルター枠８に設けた遮蔽部８ｃは、その断面形状が中心軸を中心とする略円錐形状を備えている。
【００６４】
上記構成により、フィルター９の中間層９ｃを縦糸による三次元構造としているので、水槽１１から上昇した直後に、フィルター９の中間層９ｃだけでなく表面層９ａにおいても水膜の形成が困難となり、フィルター９の水膜形成による通気抵抗の増加を大幅に抑制できるとともに、三次元構造とした中間層９ｃにおいて十分な保水能力を維持することができるので、フィルター９の圧力損失を増加させずに、またフィルター９全体の通気抵抗のアンバランスを少なくして、大風量を通過させて加湿することができ、騒音を抑えつつ加湿量を増大することができる。
【００６５】
また、円筒筒部の外周にフィルター９を巻きつけ、さらにフィルター９の外周面に中間層９ｃの密度の低い補助フィルター９Ａを装着することにより、加湿機能が向上する。すなわち、本体１の吸込口３より流入した室内空気が補助フィルター９Ａにより低圧損で予備加湿され、つぎにフィルター９を通過するときに本格的に加湿することができるので、通気抵抗が少し増えて風量はやや減少するものの、単位風量当りの加湿量は増加するため、補助フィルター９Ａを追加するだけの簡単な構成で、容易に加湿量を増大することができる。
【００６６】
また、フィルター枠８の遮蔽部８ｃの断面形状を略円錐形状にすることにより、円筒形状のフィルター９面を通過して中心方向に集まる加湿空気は、さらに略円錐形状の遮蔽部８ｃに沿って送風機６の吸気口６ａ方向に風向変更させるように案内することができ、送風機６の吸気口６ａへの風向を滑らかに変更して空気流路５の通風抵抗を低減することができるので、騒音を低減しつつ送風量を増やして加湿量を増大することができる。
【００６７】
（参考例１）
図１０に示すように、送風機６の吸気口６ａを加湿フィルター７の開口枠部８ｄより小となし、この加湿フィルター７の外周側に近接して、略円形の仕切部１３を本体１側に形成している。また、仕切部１３と繋がる位置に、水槽１１の内壁に補助仕切部１３ａを形成している。
【００６８】
上記構成により、略円形の仕切部１３が送風機６の吸気口６ａと回転する加湿フィルター７の間を遮蔽してエアリークを防ぎ、加湿効率の低下を防ぐとともに、円筒形状のフィルター９の直径寸法および幅寸法の制約を少なくして、フィルター９の表面積を拡大することができ、フィルター９を通過する風量を増加するとともに通気抵抗を低減することができ、加湿量を増大することができる。
【００６９】
また、水槽１１は、給水タンク１２により一定水位を維持して給水されるものであり、加湿運転に応じて水位が上下に変動するが、水槽１１の内面に補助仕切部１３ａを設け、本体１側に設けた仕切部１３と繋がる位置に配置することにより、水槽１１水位の低下時に仕切部１３と水面との間に生じる隙間からエアリークが生じるのを防止することができ、加湿量が低減するのを防止して、加湿能力を維持することができる。
【００７０】
（実施の形態３）
図１１に示すように、水槽１１に給水する給水タンク１２を、加湿フィルター７の側方で、かつ本体１と前面パネル２間に収納可能に配置し、給水タンク１２は略直方体形状をなし、前面パネル２の前面に補助吸込口３Ａを形成し、この補助吸込口３Ａは加湿フィルター７と給水タンク１２の間に面して位置する構成としている。
【００７１】
上記構成により、加湿フィルター７の側方において、給水タンク１２を前面パネル２の一側面２ｂに設けた吸込口３からフィルター９に至る空気流路５を遮断する位置に配置していても、前面パネル２の前面に設けた補助吸込口３Ａから、加湿フィルター７と給水タンク１２の間を通してフィルター９へと通風する新たな空気流路５とすることができるので、フィルター９の通風量を確保することができ、風量および加湿量を減らすことなく正常に使用することができる。さらに、給水タンク１２の形状を略直方体形状とすることにより、給水タンク１２の貯水容量を増加できるとともに、給水タンク１２の取り扱いが容易となり、加湿装置の外観寸法を増やすことなく、大容量の給水タンク１２を収納することができる。
【００７２】
（実施の形態４）
図１２に示すように、水槽１１に給水する給水タンク１２を前面パネル２と加湿フィルター７の間に配置し、加湿フィルター７および給水タンク１２のそれぞれの上面および両側面に面するように、前面パネル２に吸込口３を形成した構成としている。
【００７３】
上記構成により、前面パネル２と加湿フィルター７の間に給水タンク１２を配置することにより、本体１側方に給水タンク１２を配置するのに比べて、前面パネル２の背面に薄型形状で大容量の給水タンク１２を装着できるので、長時間の加湿運転が可能となり、また薄型形状の給水タンク１２の着脱や運搬などの取り扱いが容易になる。さらに、加湿フィルター７の周囲だけでなく、給水タンク１２の上面および両側面に面して、前面パネル２に吸込口３を形成することにより、吸込口３の開口面積を増やせるとともに、給水タンク１２の周辺空間を空気流路５として使用することができ、通気抵抗を減らして風量および加湿量を増やすことができる。
【図面の簡単な説明】
【００７４】
【図１】本発明の実施の形態１の加湿装置の外観斜視図
【図２】同、加湿装置の分解斜視図
【図３】（イ）同、加湿装置の加湿フィルターの開口枠部側の斜視図、（ロ）同、加湿装置の加湿フィルターの遮蔽部側の斜視図、（ハ）同、加湿装置の加湿フィルター分解斜視図、（ニ）本発明の実施の形態１および２の加湿装置のフィルターの断面図
【図４】本発明の実施の形態１の加湿装置の前面パネルの裏面側の外観斜視図
【図５】（イ）同、吸込風向板の異なる前面パネルの裏面側の外観斜視図、（ロ）  同、前面パネルの裏面側の平面図
【図６】同、吸込口形状の異なる前面パネルの裏面側の外観斜視図
【図７】同、格子部を示す本体の正面図
【図８】同、実施の形態２の加湿フィルターを示す斜視図
【図９】（イ）同、加湿フィルターの分解斜視図、（ロ）同、加湿フィルターの断面図
【図１０】（イ）参考例１の仕切板と補助仕切板を示す外観斜視図、（ロ）参考例１の仕切板と加湿フィルターの関係を示す断面図
【図１１】同、実施の形態３の加湿装置の外観斜視図
【図１２】同、実施の形態４の加湿装置の外観斜視図
【図１３】従来の加湿装置の断面図
【符号の説明】
【００７５】
１      本体
２      前面パネル
２ａ    天面
２ｂ    側面
２ｃ    吸込風向板
３      吸込口
３ａ    吸込口
３ｂ    吸込口
３ｃ    吸込口
３Ａ    補助吸込口
４      吹出口
５      空気流路
６      送風機
６ａ    吸気口
６ｂ    格子部
７      加湿フィルター
８      フィルター枠
８ａ    水平軸
８ｂ    支持枠部
８ｃ    遮蔽部
８ｄ    開口枠部
９      フィルター
９Ａ    補助フィルター
９ａ    表面層
９ｂ    裏面層
９ｃ    中間層
１０    回転手段
１１    水槽
１２    給水タンク
１３    仕切部
１３ａ  補助仕切部
【図１】
0005130875.tif 000002
【図２】
0005130875.tif 000003
【図３】
0005130875.tif 000004
【図４】
0005130875.tif 000005
【図５】
0005130875.tif 000006
【図６】
0005130875.tif 000007
【図７】
0005130875.tif 000008
【図８】
0005130875.tif 000009
【図９】
0005130875.tif 000010
【図１０】
0005130875.tif 000011
【図１１】
0005130875.tif 000012
【図１２】
0005130875.tif 000013
【図１３】
0005130875.tif 000014